(57)【特許請求の範囲】
【請求項１】
第１の端子と第２の端子とを有し第１の端子と第２の端子との間に印加される電流量に因って動作レベルが制御される複数の負荷と、複数の負荷の全ての第１の端子に共通に、電流制限用の１つの抵抗である第１の抵抗を介して接続する第１の出力ポートと、前記負荷の第２の端子に対応して接続する複数の第２の出力ポートとを有する制御信号出力部とを備え、前記第１の抵抗の抵抗値を変更することにより、前記複数の負荷に印加する電流量を増減し複数の負荷の動作レベルを一括制御する負荷電流制御回路において、動作レベルを個別に制御したい負荷の、前記第１の端子と前記第１の抵抗との間に、前記第１の抵抗側にアノードを、前記第１の端子側にカソードをそれぞれ接続するように、電流逆流防止用ダイオードを直列接続し、電流逆流防止用ダイオードのカソード側を、電流制限用の抵抗である第２の抵抗を介して、前記第１の抵抗と前記第１の出力ポートとの間に接続したことを特徴とする負荷電流制御回路。
【発明の詳細な説明】
【０００１】
【発明の属する技術分野】
本発明は、ＬＥＤの表示灯駆動回路など、負荷（ＬＥＤ）に印加する電流量に因って、負荷（ＬＥＤ）の動作レベルを制御する負荷電流制御回路に関するものである。
【０００２】
【従来の技術】
図２を用いて従来の負荷電流制御回路を説明する。図２は負荷にＬＥＤを用いた負荷電流制御回路を示す回路図で、（ａ）  はスタティック点灯方式の駆動回路の回路図、（ｂ）  はダイナミック点灯方式の駆動回路の回路図である。
【０００３】
一般に、警報監視盤など防災用の電気機器には、トラブル発生時に点灯表示するトラブル灯や、各種のスイッチの入切状態の確認を操作者に促すためのスイッチ注意灯など、各種の表示灯が設けられている。これら表示灯の表示素子としては発光ダイオードが広く用いられ、発光ダイオードを点灯制御するために機器組込み型のマイクロコンピュータを使用して、スタティック点灯方式またはダイナミック点灯方式を採用している。
【０００４】
図２（ａ）  に示す負荷電流制御回路は、スタティック点灯方式を採用したもので、複数の発光ダイオードＬＥＤ１  、ＬＥＤ２  、ＬＥＤ３  、ＬＥＤ４  、ＬＥＤ５  、ＬＥＤ６  と、複数の電流制限抵抗Ｒ０１、Ｒ０２、Ｒ０３、Ｒ０４、Ｒ０５、Ｒ０６と、複数のドライバー回路１１  、１２  、１３  、１４  、１５  、１６  と、制御信号出力部２とを備えて構成されている。
【０００５】
発光ダイオードＬＥＤ１  は、アノードである第１の端子ＡＤ１  と、カソードである第２の端子ＫＤ１  とからなる一対の端子を有し、一対の端子ＡＤ１  、ＫＤ１  間に印加される電流量に因って、動作レベルすなわち発光輝度が制御される。
【０００６】
第１の端子ＡＤ１  は、電流制限抵抗Ｒ０１を介して、ドライバー回路１１  の出力端子に接続する。ドライバー回路１１  の入力端子は、マイコンなどの制御信号出力部２の第１の出力ポートＰ０１に接続する。第２の端子ＫＤ１  は、負荷電流制御回路のグランド電位に接続する。
【０００７】
発光ダイオードＬＥＤ２  は、アノードである第１の端子ＡＤ２  と、カソードである第２の端子ＫＤ２  とからなる一対の端子を有し、一対の端子ＡＤ２  、ＫＤ２  間に印加される電流量に因って、動作レベルすなわち発光輝度が制御される。
【０００８】
第１の端子ＡＤ２  は、電流制限抵抗Ｒ０２を介して、ドライバー回路１２  の出力端子に接続する。ドライバー回路１２  の入力端子は、マイコンなどの制御信号出力部２の第１の出力ポートＰ０２に接続する。第２の端子ＫＤ２  は、負荷電流制御回路のグランド電位に接続する。
【０００９】
発光ダイオードＬＥＤ３  は、アノードである第１の端子ＡＤ３  と、カソードである第２の端子ＫＤ３  とからなる一対の端子を有し、一対の端子ＡＤ３  、ＫＤ３  間に印加される電流量に因って、動作レベルすなわち発光輝度が制御される。
【００１０】
第１の端子ＡＤ３  は、電流制限抵抗Ｒ０３を介して、ドライバー回路１３  の出力端子に接続する。ドライバー回路１３  の入力端子は、マイコンなどの制御信号出力部２の第１の出力ポートＰ０３に接続する。第２の端子ＫＤ３  は、負荷電流制御回路のグランド電位に接続する。
【００１１】
発光ダイオードＬＥＤ４  は、アノードである第１の端子ＡＤ４  と、カソードである第２の端子ＫＤ４  とからなる一対の端子を有し、一対の端子ＡＤ４  、ＫＤ４  間に印加される電流量に因って、動作レベルすなわち発光輝度が制御される。
【００１２】
第１の端子ＡＤ４  は、電流制限抵抗Ｒ０４を介して、ドライバー回路１４  の出力端子に接続する。ドライバー回路１４  の入力端子は、マイコンなどの制御信号出力部２の第１の出力ポートＰ０４に接続する。第２の端子ＫＤ４  は、負荷電流制御回路のグランド電位に接続する。
【００１３】
発光ダイオードＬＥＤ５  は、アノードである第１の端子ＡＤ５  と、カソードである第２の端子ＫＤ５  とからなる一対の端子を有し、一対の端子ＡＤ５  、ＫＤ５  間に印加される電流量に因って、動作レベルすなわち発光輝度が制御される。
【００１４】
第１の端子ＡＤ５  は、電流制限抵抗Ｒ０５を介して、ドライバー回路１５  の出力端子に接続する。ドライバー回路１５  の入力端子は、マイコンなどの制御信号出力部２の第１の出力ポートＰ０５に接続する。第２の端子ＫＤ５  は、負荷電流制御回路のグランド電位に接続する。
【００１５】
発光ダイオードＬＥＤ６  は、アノードである第１の端子ＡＤ６  と、カソードである第２の端子ＫＤ６  とからなる一対の端子を有し、一対の端子ＡＤ６  、ＫＤ６  間に印加される電流量に因って、動作レベルすなわち発光輝度が制御される。
【００１６】
第１の端子ＡＤ６  は、電流制限抵抗Ｒ０６を介して、ドライバー回路１６  の出力端子に接続する。ドライバー回路１６  の入力端子は、マイコンなどの制御信号出力部２の第１の出力ポートＰ０６に接続する。第２の端子ＫＤ６  は、負荷電流制御回路のグランド電位に接続する。
【００１７】
このような負荷電流制御回路においては、ドライバー回路１１  は、制御信号出力部２の第１の出力ポートＰ０１からＨｉｇｈレベルの電圧出力を受けると、制御信号出力部２の出力電流値を増幅し、Ｈｉｇｈレベルの電圧出力および増幅電流の出力を行う。ドライバー回路１１  は、制御信号出力部２の第１の出力ポートＰ０１からＨｉｇｈレベルの電圧出力を受けない限り、入出力端子間が電気的にオープンとなる。他のドライバー回路１２  、１３  、１４  、１５  、１６  についても、ドライバー回路１１  同様に電気的出力を行う。つまり、発光ダイオードＬＥＤ１  に電流制限抵抗Ｒ０１を、発光ダイオードＬＥＤ２  に電流制限抵抗Ｒ０２を、発光ダイオードＬＥＤ３  に電流制限抵抗Ｒ０３を、発光ダイオードＬＥＤ４  に電流制限抵抗Ｒ０４を、発光ダイオードＬＥＤ５  に電流制限抵抗Ｒ０５を、発光ダイオードＬＥＤ６  に電流制限抵抗Ｒ０６を、それぞれ接続し、発光ダイオードＬＥＤ１  、ＬＥＤ２  、ＬＥＤ３  、ＬＥＤ４  、ＬＥＤ５  、ＬＥＤ６  を、第１の出力ポートＰ０１乃至Ｐ０６の出力により、個別に点灯または消灯の制御を行うのである。
【００１８】
発光ダイオードＬＥＤ１  乃至ＬＥＤ６  の発光輝度を調節したい場合には、対応する電流制限抵抗Ｒ０１乃至Ｒ０６の抵抗値を調整する。以上のように複数の発光ダイオードＬＥＤ１  乃至ＬＥＤ６  を、第１の出力ポートＰ０１乃至Ｐ０６の出力により個別に制御する点灯制御方式を、スタティック点灯方式と称する。
【００１９】
これに対し、図２（ｂ）  に示す負荷電流制御回路は、ダイナミック点灯方式と称する点灯制御方式で動作するものであり、複数の発光ダイオードＬＥＤ１  、ＬＥＤ２  、ＬＥＤ３  、ＬＥＤ４  、ＬＥＤ５  、ＬＥＤ６  と、第１の抵抗Ｒ１１、Ｒ１２と、複数のドライバー回路１１  、１２  、１３  、１４  、１５  と、制御信号出力部２とを備えて構成されている。以下に、図２（ａ）  に示す負荷電流制御回路のスタティック点灯方式との相違点のみを述べる。
【００２０】
第１の出力ポートは、符号Ｐ０１とＰ０２との２つだけであり、制御信号出力部２は、第１の出力ポートＰ０１、Ｐ０２の他に、発光ダイオードＬＥＤ１  乃至ＬＥＤ６  の第２の端子に個別に接続する第２の出力ポートＰ０３乃至Ｐ０５を備える。
【００２１】
発光ダイオードＬＥＤ１  乃至ＬＥＤ３  は、第１の端子ＡＤ１  乃至ＡＤ３  が接続され、電流制限用の抵抗である第１の抵抗Ｒ１１を介して、ドライバー回路１１  の出力端子に接続する。第２の端子ＫＤ１  は、ドライバー回路１５  の出力端子に接続する。第２の端子ＫＤ２  は、ドライバー回路１４  の出力端子に接続する。第２の端子ＫＤ３  は、ドライバー回路１３  の出力端子に接続する。
【００２２】
発光ダイオードＬＥＤ４  乃至ＬＥＤ６  は、第１の端子ＡＤ４  乃至ＡＤ６  が接続され、電流制限用の抵抗である第１の抵抗Ｒ１２を介して、ドライバー回路１２  の出力端子に接続する。第２の端子ＫＤ４  は、ドライバー回路１５  の出力端子に接続する。第２の端子ＫＤ５  は、ドライバー回路１４  の出力端子に接続する。第２の端子ＫＤ６  は、ドライバー回路１３  の出力端子に接続する。
【００２３】
このような負荷電流制御回路においては、ドライバー回路１１  は制御信号出力部２の第１の出力ポートＰ０１からＨｉｇｈレベルの電圧出力を受けると、制御信号出力部２の出力電流値を増幅し、Ｈｉｇｈレベルの電圧出力および増幅電流の出力を行う。ドライバー回路１１  の先に接続されている発光ダイオードＬＥＤ１  乃至ＬＥＤ３  のうち、点灯制御したい発光ダイオードの第２の端子ＫＤ１  乃至ＫＤ３  に対応する第２の出力ポートＰ０３乃至Ｐ０５から、Ｈｉｇｈレベルの電圧出力を出力すれば、対応するドライバー回路１３  乃至１５  が、Ｌｏｗレベルの電圧出力とドライバー回路１１  で増幅された電流の吸入とを行い、所望の発光ダイオードが点灯する。この場合、第１の抵抗Ｒ１１の抵抗値を変更することにより、発光ダイオードＬＥＤ１  乃至ＬＥＤ３  の一対の端子間に印加する電流量を増減し、発光ダイオードＬＥＤ１  乃至ＬＥＤ３  の動作レベルすなわち発光輝度を一括制御する。つまり、ダイナミック点灯方式を採用して、発光ダイオードＬＥＤ１  乃至ＬＥＤ６  の数を、第１の出力ポートＰ０１、Ｐ０２の数と、第２の出力ポートＰ０３乃至Ｐ０５の数との積としてまとめることができれば、電流制限抵抗の数と、ドライバー回路の数とを節約できるので、スタティック点灯方式に比べて部品点数の削減が行える。
【００２４】
【発明が解決しようとする課題】
しかしながら、上述のような従来の負荷電流制御回路を使用した負荷電流制御回路においては、図２（ａ）  に示す負荷電流制御回路で行うスタティック点灯方式の場合、複数の負荷すなわち発光ダイオードＬＥＤ１  乃至ＬＥＤ６  の数だけ、制御信号出力部２の第１の出力ポートＰ０１乃至Ｐ０６が必要になるため、第１の出力ポートを多く使用し非効率であるという問題点があった。
【００２５】
また、図２（ｂ）  に示す負荷電流制御回路で行うダイナミック点灯方式の場合、第１の出力ポートの使用数を抑えたり、電流制限抵抗とドライバー回路を節約することができるものの、発光ダイオードＬＥＤ１  乃至ＬＥＤ３  の動作レベルすなわち発光輝度は、第１の抵抗Ｒ１１の抵抗値を変更することにより一括制御するようになっているため、発光ダイオードを個別に輝度調整することができないという問題点があった。例えば発光ダイオードＬＥＤ１  が赤色発光のものであって発光ダイオードＬＥＤ３  が緑色発光のものである場合には、一般に緑色発光の発光ダイオードの発光輝度が赤色発光の発光ダイオードの発光輝度よりも低いため、発光ダイオードＬＥＤ３  が発光ダイオードＬＥＤ１  よりも暗く感じられたり発光輝度があまり上がらなかったりする場合があった。
【００２６】
本発明は上記の問題点を解決するためになされたもので、その目的とするところは、第１の出力ポートを多数使わずに済み、しかも負荷別に電流量を調節可能な負荷電流制御回路を提供することにある。
【００２７】
【課題を解決するための手段】
請求項１記載の発明にあっては、第１の端子と第２の端子とを有し第１の端子と第２の端子との間に印加される電流量に因って動作レベルが制御される複数の負荷と、複数の負荷の全ての第１の端子に共通に、電流制限用の１つの抵抗である第１の抵抗を介して接続する第１の出力ポートと、負荷の第２の端子に対応して接続する複数の第２の出力ポートとを有する制御信号出力部とを備え、第１の抵抗の抵抗値を変更することにより、複数の負荷に印加する電流量を増減し複数の負荷の動作レベルを一括制御する負荷電流制御回路において、動作レベルを個別に制御したい負荷の、第１の端子と第１の抵抗との間に、第１の抵抗側にアノードを、第１の端子側にカソードをそれぞれ接続するように、電流逆流防止用ダイオードを直列接続し、電流逆流防止用ダイオードのカソード側を、電流制限用の抵抗である第２の抵抗を介して、第１の抵抗と第１の出力ポートとの間に接続したことを特徴とする。
【００２８】
【発明の実施の形態】
以下、本発明に係る負荷電流制御回路の一実施の形態を、図１に基づいて説明する。図１は負荷にＬＥＤを用いた負荷電流制御回路を示す回路図である。
【００２９】
図１に示すように、本発明の負荷電流制御回路は、従来例に述べた図２（ｂ）  のダイナミック点灯方式を基にして、電流逆流防止用ダイオードＤ１  と、第２の抵抗Ｒ２１を付加した構成になっている。本実施例では、発光輝度を個別に調節したい発光ダイオードを、発光ダイオードＬＥＤ６  とする。
【００３０】
負荷電流制御回路は、複数の発光ダイオードＬＥＤ１  、ＬＥＤ２  、ＬＥＤ３  、ＬＥＤ４  、ＬＥＤ５  、ＬＥＤ６  と、複数の第１の抵抗Ｒ１１、Ｒ１２と、複数のドライバー回路１１  、１２  、１３  、１４  、１５  と、電流逆流防止用ダイオードＤ１  と、第２の抵抗Ｒ２１と、制御信号出力部２とを備えて構成されている。
【００３１】
発光ダイオードＬＥＤ１  は、アノードである第１の端子ＡＤ１  と、カソードである第２の端子ＫＤ１  とからなる一対の端子を有し、一対の端子ＡＤ１  、ＫＤ１  間に印加される電流量に因って、動作レベルすなわち発光輝度が制御される。
【００３２】
発光ダイオードＬＥＤ２  は、アノードである第１の端子ＡＤ２  と、カソードである第２の端子ＫＤ２  とからなる一対の端子を有し、一対の端子ＡＤ２  、ＫＤ２  間に印加される電流量に因って、動作レベルすなわち発光輝度が制御される。
【００３３】
発光ダイオードＬＥＤ３  は、アノードである第１の端子ＡＤ３  と、カソードである第２の端子ＫＤ３  とからなる一対の端子を有し、一対の端子ＡＤ３  、ＫＤ３  間に印加される電流量に因って、動作レベルすなわち発光輝度が制御される。
【００３４】
発光ダイオードＬＥＤ１  乃至ＬＥＤ３  は、第１の端子ＡＤ１  乃至ＡＤ３  が接続され、電流制限用の抵抗である第１の抵抗Ｒ１１を介して、ドライバー回路１１  の出力端子に接続する。第２の端子ＫＤ１  は、ドライバー回路１５  の出力端子に接続する。第２の端子ＫＤ２  は、ドライバー回路１４  の出力端子に接続する。第２の端子ＫＤ３  は、ドライバー回路１３  の出力端子に接続する。
【００３５】
ドライバー回路１１  は、入力端子が制御信号出力部２の第１の出力ポートＰ０１と接続しており、第１の出力ポートＰ０１からＨｉｇｈレベルの電圧出力を受けると、第１の出力ポートＰ０１の出力電流値を増幅し、Ｈｉｇｈレベルの電圧出力および増幅電流の出力を行う。ドライバー回路１１  は、第１の出力ポートＰ０１からＨｉｇｈレベルの電圧出力を受けない限り、入出力端子間が電気的にオープンとなる。他のドライバー回路１２  、１３  、１４  、１５  についても、ドライバー回路１１  同様に電気的出力を行う。なお、第１の出力ポートは、符号Ｐ０１とＰ０２との２つだけであり、制御信号出力部２は、第１の出力ポートＰ０１、Ｐ０２の他に、発光ダイオードＬＥＤ１  乃至ＬＥＤ６  のそれぞれの第２の端子に接続する第２の出力ポートＰ０３乃至Ｐ０５を備える。
【００３６】
発光ダイオードＬＥＤ４  は、アノードである第１の端子ＡＤ４  と、カソードである第２の端子ＫＤ４  とからなる一対の端子を有し、一対の端子ＡＤ４  、ＫＤ４  間に印加される電流量に因って、動作レベルすなわち発光輝度が制御される。
【００３７】
発光ダイオードＬＥＤ５  は、アノードである第１の端子ＡＤ５  と、カソードである第２の端子ＫＤ５  とからなる一対の端子を有し、一対の端子ＡＤ５  、ＫＤ５  間に印加される電流量に因って、動作レベルすなわち発光輝度が制御される。
【００３８】
発光ダイオードＬＥＤ６  は、アノードである第１の端子ＡＤ６  と、カソードである第２の端子ＫＤ６  とからなる一対の端子を有し、一対の端子ＡＤ６  、ＫＤ６  間に印加される電流量に因って、動作レベルすなわち発光輝度が制御される。
【００３９】
発光ダイオードＬＥＤ４  と発光ダイオードＬＥＤ５  は、第１の端子ＡＤ４  と第１の端子ＡＤ６  とが接続されている。さらに、発光ダイオードＬＥＤ６  の第１の端子ＡＤ６  が、電流逆流防止用ダイオードＤ１  のカソードＫ１  と接続し、電流逆流防止用ダイオードＤ１  のアノードＡ１  が第１の端子ＡＤ４  と第１の端子ＡＤ６  とに接続されている。第１の端子ＡＤ４  と第１の端子ＡＤ６  とアノードＡ１  とは、電流制限用の抵抗である第１の抵抗Ｒ１２を介して、ドライバー回路１２  の出力端子に接続する。
【００４０】
また、電流逆流防止用ダイオードＤ１  のカソードＫ１  を、電流制限用の１つの抵抗である第２の抵抗Ｒ２１を介して、第１の抵抗Ｒ１２とドライバー回路１２  の出力端子との間に接続する。
【００４１】
第２の端子ＫＤ４  は、ドライバー回路１５  の出力端子に接続する。第２の端子ＫＤ５  は、ドライバー回路１４  の出力端子に接続する。第２の端子ＫＤ６  は、ドライバー回路１３  の出力端子に接続する。
【００４２】
このような負荷電流制御回路にあっては、発光ダイオードＬＥＤ６  のみを点灯させる場合、発光ダイオードＬＥＤ４  または発光ダイオードＬＥＤ５  のいずれか一つのみを点灯させる場合に比べて、発光ダイオードＬＥＤ６  には、第２の抵抗Ｒ２１からも第１の端子ＡＤ６  へ供給される電流がある。このようにして、発光ダイオードＬＥＤ６  は、発光ダイオードＬＥＤ４  または発光ダイオードＬＥＤ５  のいずれか一つのみを点灯させる場合に比べて、発光輝度が高くなる。
【００４３】
発光ダイオードＬＥＤ４  または発光ダイオードＬＥＤ５  のいずれか一つのみを点灯させる場合には、電流逆流防止用ダイオードＤ１  が存在するため、第２の抵抗Ｒ２１から電流逆流防止用ダイオードＤ１  のカソードＫ１  へ流れ込む電流があっても、その電流は電流逆流防止用ダイオードＤ１  によって発光ダイオードＬＥＤ４  および発光ダイオードＬＥＤ５  へは、流れない。
【００４４】
発光ダイオードＬＥＤ６  の発光輝度を個別に高くしたい場合には、第２の抵抗Ｒ２１の値を小さくすればよい。このようにすれば、第２の抵抗Ｒ２１に流れる電流値が増加し、発光ダイオードＬＥＤ６  の第１の端子ＡＤ６  に流れ込む電流の値が増加して発光ダイオードＬＥＤ６  の発光輝度を個別に高くできる。
【００４５】
また、発光ダイオードＬＥＤ６  の発光輝度を低くしたい場合には、第１の抵抗Ｒ１２の値を大きくする。ただし、このようにすれば発光ダイオードＬＥＤ４  および発光ダイオードＬＥＤ５  の各発光輝度も、低下してしまう。第１の抵抗Ｒ１２の値を大きくしたあと、あらためて第２の抵抗Ｒ２１の値を調整して発光ダイオードＬＥＤ６  の発光輝度を微調整してもよい。
【００４６】
なお、このような点灯方式で、複数の発光ダイオードＬＥＤ１  、ＬＥＤ２  、ＬＥＤ３  、ＬＥＤ４  、ＬＥＤ５  、ＬＥＤ６  の全ての点灯を目視認識させたい場合には、発光ダイオードＬＥＤ１  、ＬＥＤ２  、ＬＥＤ３  、ＬＥＤ４  、ＬＥＤ５  、ＬＥＤ６  を数十ｍｓｅｃ程度の時間間隔でサイクリックに点灯制御してやればよい。
【００４７】
従って、動作レベルすなわち発光輝度を個別に制御したい発光ダイオードＬＥＤ６  の、第１の端子ＡＤ６  と第１の抵抗Ｒ１２との間に、第１の抵抗Ｒ１２側にアノードＡ１  を、第１の端子ＡＤ６  側にカソードＫ１  をそれぞれ接続するように、電流逆流防止用ダイオードＤ１  を直列接続し、電流逆流防止用ダイオードＤ１  のカソードＫ１  側を、電流制限用の１つの抵抗である第２の抵抗Ｒ２１を介して、第１の抵抗Ｒ１２とドライバー回路１２  の出力端子との間に接続したため、従来例に述べた図２（ａ）  のスタティック点灯方式に比べて、従来例に述べた図２（ｂ）  のダイナミック点灯方式のように第１の出力ポートの使用数を少なく抑えることができ、しかも、第２の抵抗Ｒ２１の値を換えることによって、従来例に述べた図２（ａ）  のスタティック点灯方式のように発光ダイオードＬＥＤ６  の発光輝度を個別に調節できる。また、従来例に述べた図２（ｂ）  のダイナミック点灯方式を基にして、電流逆流防止用ダイオードＤ１  と第２の抵抗Ｒ２１の２つの素子を追加するという簡易な回路変更にて、発光ダイオードＬＥＤ６  の発光輝度を変更できるという効果を奏する。
【００４８】
なお、上記実施の形態においては、動作レベルすなわち発光輝度を個別に制御したい負荷を、発光ダイオードＬＥＤ６  １つだけにしてみせたが、本発明はこれに限らず、他の５つの発光ダイオードのいずれかにしてもよい。
【００４９】
また、上記実施の形態においては、負荷は、発光ダイオードＬＥＤ１  乃至ＬＥＤ６  として例示したが、本発明はこれに限らず、負荷は、第１の端子と第２の端子とからなる一対の端子を有し一対の端子間に印加される電流量に因って動作レベルが制御されるものであれば、どのような素子であってもかまわない。
【００５０】
【発明の効果】
請求項１記載の発明にあっては、動作レベルを個別に制御したい負荷の、第１の端子と第１の抵抗との間に、第１の抵抗側にアノードを、第１の端子側にカソードをそれぞれ接続するように、電流逆流防止用ダイオードを直列接続し、電流逆流防止用ダイオードのカソード側を、電流制限用の抵抗である第２の抵抗を介して、第１の抵抗と第１の出力ポートとの間に接続したため、第１の出力ポートの使用数が負荷の数と同じだけ必要な場合に比べて、第１の出力ポートの使用数を少なく抑えることができ、第２の抵抗の抵抗値を変更することにより負荷別に与える電流量を調節可能な、負荷電流制御回路を提供できる。しかも、電流逆流防止用ダイオードと第２の抵抗の２つの素子を追加するという簡易な回路変更にて、所望の負荷の動作レベルを制御できる。
【図面の簡単な説明】
【図１】本発明に係る一実施の形態の負荷電流制御回路の説明図である。
【図２】従来の負荷電流制御回路の説明図である。
【符号の説明】
２            制御信号出力部
Ａ１          アノード
Ｄ１          電流逆流防止用ダイオード
Ｋ１          カソード
Ｐ０１、Ｐ０２                第１の出力ポート
Ｐ０３、Ｐ０４、Ｐ０５    第２の出力ポート
Ｒ１１、Ｒ１２                第１の抵抗
Ｒ２１        第２の抵抗
ＡＤ１  、ＡＤ２  、ＡＤ３  、ＡＤ４  、ＡＤ５  、ＡＤ６      第１の端子
ＫＤ１  、ＫＤ２  、ＫＤ３  、ＫＤ４  、ＫＤ５  、ＫＤ６      第２の端子
ＬＥＤ１  、ＬＥＤ２  、ＬＥＤ３  、ＬＥＤ４  、ＬＥＤ５  、ＬＥＤ６      負荷
【図１】
0003606058.tif 000002
【図２】
0003606058.tif 000003